(57)【要約】【課題】十分な光出力を安定的に得ることができるエキシマランプを提供する。【解決手段】エキシマランプ１００は、光透過性材料から成り、所定の軸線ＡＸに沿って延在し、封止された内部空間Ｒを有する管状の筐体部２と、筐体部２の一端側で保持され、内部空間Ｒに収容された内部電極３と、内部空間Ｒに充填された放電ガス４と、を備える。内部電極３の一端側は、給電部材６と電気的に接続され、当該給電部材６とともに筐体部２の一端側にピンチシール部１０を介して封着されている。内部電極３の他端側は、内部空間Ｒ内に突出している。軸線ＡＸに沿った方向において、内部電極３の突出長さは、内部電極３の他端から内部空間Ｒの他端までの長さ以下である。【選択図】図３
2022003622.tif 000002
【特許請求の範囲】
【請求項１】
光透過性材料から成り、所定の軸線に沿って延在し、封止された内部空間を有する管状の筐体部と、
前記筐体部の一端側で保持され、前記内部空間に収容された内部電極と、
前記内部空間に充填された放電ガスと、を備え、
前記内部電極の一端側は、前記内部電極に電気的に接続される金属箔を備える給電部材と電気的に接続され、当該給電部材とともに前記筐体部の一端側に封着部を介して封着され、
前記内部電極の他端側は、前記内部空間内に突出し、
前記軸線に沿った方向において、前記内部空間内における前記内部電極の長さであって前記内部空間の一端から前記内部電極の他端までの長さである突出長さは、前記内部電極の他端から前記内部空間の他端までの長さ以下である、エキシマランプ。
【請求項２】
前記軸線に沿った方向において、前記突出長さは、前記内部空間の長さの１／５以上である、請求項１に記載のエキシマランプ。
【請求項３】
前記内部電極の径は、前記筐体部の内径の１／５以上且つ１／２以下である、請求項１又は２に記載のエキシマランプ。
【請求項４】
前記給電部材は、前記金属箔に電気的に接続され筐体部の外部に導出される線状金属部材を含み、
前記線状金属部材の径は、前記内部電極の径よりも小さい、請求項１〜３の何れか一項に記載のエキシマランプ。
【請求項５】
前記筐体部の外面に当接する外部電極を備える、請求項１〜４の何れか一項に記載のエキシマランプ。
【請求項６】
前記外部電極は、前記筐体部の外面を包囲するように設けられ、メッシュ状を呈する、請求項５に記載のエキシマランプ。
【請求項７】
絶縁性材料から成り、前記筐体部の一端側を包囲する筒状のソケットを備え、
前記給電部材及び前記外部電極は、前記ソケット内でそれぞれ外部給電部材と電気的に接続される、請求項５又は６に記載のエキシマランプ。
【請求項８】
前記給電部材と前記外部給電部材との電気的接続部と前記外部電極と前記外部給電部材との電気的接続部とは、前記軸線に沿った方向において離間している、請求項７に記載のエキシマランプ。
【請求項９】
前記外部電極と前記外部給電部材との電気的接続部は、前記ソケット内の他端側開口部に配置されている、請求項７又は８に記載のエキシマランプ。
【請求項１０】
前記外部電極の一端側は、前記ソケット内まで延在し、前記ソケット内の前記他端側開口部において固定部材によって固定されている、請求項９に記載のエキシマランプ。
【請求項１１】
金属材料から成り、前記筐体部の外径に対応する内径の挿通孔と当該挿通孔に設けられた光出射開口とを含むランプ収容部を備え、
前記ランプ収容部には、外部給電部材が電気的に接続されている、請求項１〜４の何れか一項に記載のエキシマランプ。
【請求項１２】
前記封着部は、前記内部電極の一端側を前記給電部材とともに前記筐体部の一端側にピンチシールで封着するピンチシール部である、請求項１〜１１の何れか一項に記載のエキシマランプ。
【発明の詳細な説明】
【技術分野】
【０００１】
本発明は、エキシマランプに関する。
【背景技術】
【０００２】
従来のエキシマランプに関する技術として、特許文献１に記載された誘電体バリア放電ランプが知られている。特許文献１に記載された誘電体バリア放電ランプは、円筒状の外側電極と、外側電極の内側に同軸に隙間を有して配置された細長い内側電極（内部電極）と、両電極間に配置された円筒状誘電体管（筐体部）と、を有する。外側電極と内側電極との間には、誘電体バリア放電によってエキシマ分子を形成する放電用ガスが充填されている。内側電極は、その一端側がいわゆるグレーデットシール法により円筒状誘電体管に封着されている。
【先行技術文献】
【特許文献】
【０００３】
【特許文献１】特開平７−２２０６９０号公報
【発明の概要】
【発明が解決しようとする課題】
【０００４】
上述したような技術では、筐体部内において発光強度の高い領域が少なくなる場合があり、十分な光出力が得られない可能性がある。また、内部電極の一端側を封着する封着部について、内部電極の熱の影響を受けやすくなる場合があり、当該熱の影響で高温化して破損してしまう可能性がある。
【０００５】
そこで、本発明は、十分な光出力を安定的に得ることができるエキシマランプを提供することを目的とする。
【課題を解決するための手段】
【０００６】
本発明に係るエキシマランプは、光透過性材料から成り、所定の軸線に沿って延在し、封止された内部空間を有する管状の筐体部と、筐体部の一端側で保持され、内部空間に収容された内部電極と、内部空間に充填された放電ガスと、を備え、内部電極の一端側は、内部電極に電気的に接続される金属箔を備える給電部材と電気的に接続され、当該給電部材とともに筐体部の一端側に封着部を介して封着され、内部電極の他端側は、内部空間内に突出し、軸線に沿った方向において、内部空間内における内部電極の長さであって内部空間の一端から内部電極の他端までの長さである突出長さは、内部電極の他端から内部空間の他端までの長さ以下である。
【０００７】
本発明者らは鋭意検討を重ねた結果、次の知見を得た。すなわち、軸線に沿った方向において、内部空間内における内部電極の長さであって内部空間の一端から内部電極の他端までの長さである突出長さ（以下、単に「突出長さ」ともいう）を、内部電極の他端から内部空間の他端までの長さ以下まで短くすると、筐体部内において発光強度の高い領域を十分に広げることができ、光出力を十分に得ることができるという知見を得た。よって、このような短い突出長さの内部電極を備える本発明では、十分な光出力を得ることが可能となる。一方、突出長さが短いと、内部電極において特に高温になる先端部から封着部が近くなり、封着部が高温化しやすいことが見出される。この点、本発明では、内部電極の一端側を、内部電極に電気的に接続される金属箔を備える給電部材と電気的に接続している。そして、内部電極の一端側を当該給電部材とともに筐体部の一端側に封着部を介して封着している。このように封着することにより、熱に強い特性を有することができ、封着部は高温化した場合でも破損し難くなる。したがって、本発明によれば、十分な光出力を安定的に得ることが可能となる。
【０００８】
本発明に係るエキシマランプでは、軸線に沿った方向において、突出長さは、内部空間の長さの１／５以上であってもよい。突出長さを内部空間の長さの１／５よりも小さくした場合、光出力は変化し難い一方で、突出長さが短くなりすぎるために封着部が非常に高温となり、封着部が破損しやすいことが見出される。よって、突出長さが内部空間の長さの１／５以上の場合、十分な光出力を一層安定的に得ることが可能となる。
【０００９】
本発明に係るエキシマランプでは、内部電極の径は、筐体部の内径の１／５以上且つ１／２以下であってもよい。内部電極が一端側で保持された片持ち構造であっても、内部電極の径が筐体部の内径の１／５以上であることで、内部電極が熱変形して垂れることを抑制することができる。加えて、内部電極の径が筐体部の内径の１／２以下であることで、内部電極の一端側での保持が難しくなることを抑制することができる。
【００１０】
本発明に係るエキシマランプでは、給電部材は、金属箔に電気的に接続され筐体部の外部に導出される線状金属部材を含み、線状金属部材の径は、内部電極の径よりも小さくてもよい。この場合、製造時及び使用時に応力のかかりやすい線状金属部材を変形しやすい構成とし、封着部の破損（クラック等）を抑制することが可能となる。
【００１１】
本発明に係るエキシマランプは、筐体部の外面に当接する外部電極を備えていてもよい。本発明に係るエキシマランプでは、外部電極は、筐体部の外面を包囲するように設けられ、メッシュ状を呈していてもよい。この場合、筐体部内において広がった高い発光強度の領域から効率よく光を取り出すことが可能となる。
【００１２】
本発明に係るエキシマランプは、絶縁性材料から成り、筐体部の一端側を包囲する筒状のソケットを備え、給電部材及び外部電極は、ソケット内でそれぞれ外部給電部材と電気的に接続されていてもよい。これにより、電気的に安定した状態で給電部材及び外部電極のそれぞれと外部給電部材とを接続することができる。
【００１３】
本発明に係るエキシマランプでは、給電部材と外部給電部材との電気的接続部と外部電極と外部給電部材との電気的接続部とは、軸線に沿った方向において離間していてもよい。これにより、ソケット内の耐電圧特性を良好にすることが可能となる。
【００１４】
本発明に係るエキシマランプでは、外部電極と外部給電部材との電気的接続部は、ソケット内の他端側開口部に配置されていてもよい。一般的に、安全のために外部電極を低電位側（例えば接地電位）とすることが多い。そのため、この外部電極との電気的接続部をソケット内の他端側開口部に配置すると、相対的に、高電位側の内部電極及びその給電部材との電気的接続部を、軸線に沿った方向においてソケット内の中央寄りに配置することができる。これにより、ソケット内の耐電圧特性を良好にすることが可能となる。
【００１５】
本発明に係るエキシマランプでは、外部電極の一端側は、ソケット内まで延在し、ソケット内の他端側開口部において固定部材によって固定されていてもよい。これにより、外部電極を確実に固定することができ、安定的な放電が実現可能となる。
【００１６】
本発明に係るエキシマランプでは、金属材料から成り、筐体部の外径に対応する内径の挿通孔と当該挿通孔に設けられた光出射開口とを含むランプ収容部を備え、ランプ収容部には、外部給電部材が電気的に接続されていてもよい。この場合、ランプ収容部を外部電極として用い、十分な光出力を安定的に得ることができる。
【００１７】
本発明に係るエキシマランプでは、封着部は、内部電極の一端側を給電部材とともに筐体部の一端側にピンチシールで封着するピンチシール部であってもよい。この場合、封着部を熱に強いピンチシール部で構成することが可能となる。
【発明の効果】
【００１８】
本発明によれば、十分な光出力を安定的に得ることができるエキシマランプを提供することが可能となる。
【図面の簡単な説明】
【００１９】
【図１】図１は、一実施形態に係るエキシマランプを示す正面図である。
【図２】図２は、図１のエキシマランプを拡大して示す一部断面正面図である。
【図３】図３（ａ）は、図１のエキシマランプの要部を示す一部断面正面図である。図３（ｂ）は、図１のエキシマランプの要部を示す一部断面平面図である。
【図４】図４（ａ）は、変形例に係るエキシマランプを示す正面図である。図４（ｂ）は、図４（ａ）のエキシマランプを示す左側面図である。
【発明を実施するための形態】
【００２０】
以下、本発明の実施形態について、図面を参照しつつ詳細に説明する。なお、以下の説明において、同一又は相当要素には同一符号を用い、重複する説明を省略する。また、以下の説明における寸法は、必ずしも図面には相当しない。
【００２１】
図１は、一実施形態に係るエキシマランプ１００を示す側面図である。図２は、エキシマランプ１００における筐体部２の一端側を拡大して示す一部断面正面図である。図３（ａ）は、エキシマランプ１００の要部を示す一部断面正面図である。図３（ｂ）は、エキシマランプ１００の要部を示す一部断面平面図である。図１及び図２に示されるように、エキシマランプ１００は、放電プラズマ（例えば誘電体バリア放電による放電プラズマ）を利用してエキシマ光（真空紫外光）を放射する放電ランプである。エキシマランプ１００は、筐体部２、内部電極３、放電ガス４、外部電極５及び給電部材６を備える。
【００２２】
筐体部２は、誘電体バリア放電における誘電体を構成する。筐体部２は、所定の軸線ＡＸ（以下、単に「軸線ＡＸ」ともいう）に沿って一端側（図示右側）から他端側（図示左側）に延在する円管状を呈する。本実施形態においては、筐体部２の中心軸は、軸線ＡＸと同軸である。筐体部２は、光透過性材料であって絶縁性材料である例えば合成石英ガラスから成る。筐体部２は、その一端側にピンチシール部１０を有する。筐体部２は、その一端側がピンチシール部１０により気密に密閉されている。また、筐体部２は、その他端側が封じ切りにより気密に密閉されている。これにより、筐体部２は、封止された内部空間Ｒを有する。内部空間Ｒは、軸線ＡＸを中心軸とする円柱形状の空間であり、例えば、その径は４ｍｍである。
【００２３】
内部電極３は、例えば径が１．２ｍｍのタングステン製の線材から成り、軸線ＡＸに沿って直線状に延在する。内部電極３は、筐体部２の一端側で保持されているとともに、その延在方向における中心軸が内部空間Ｒの中心軸（軸線ＡＸ）に略一致するように、内部空間Ｒに収容されている。放電ガス４は、内部空間Ｒに充填された放電用の希ガスである。放電ガス４としては、例えばキセノンガスが用いられている。
【００２４】
外部電極５は、筐体部２の外面に当接した状態で固定されている。外部電極５は、ニッケルから成る。外部電極５は、軸線ＡＸに沿って延在し、筐体部２の外面の略全面を包囲するように設けられている。外部電極５は、メッシュ状で且つ円管状を呈する網電極である。外部電極５は、その他端側が溶断により閉鎖されている。外部電極５の一端側は、束ねられ且つ縛られた状態で、筐体部２（ピンチシール部１０）の外面上においてハンダ（固定部材及び電気的接続部）１１により、導線（外部給電部材）１２に電気的に接続されている。導線１２は、軸線ＡＸに沿って延在する。
【００２５】
給電部材６は、内部電極３に給電するための部材である。給電部材６は、金属箔６Ａ及び線状金属部材６Ｂを有する。金属箔６Ａは、例えばモリブデンから成る箔状の金属部材であり、矩形状を呈する。金属箔６Ａの他端側には、内部電極３の一端側が溶接されている。これにより、内部電極３の一端側は、金属箔６Ａと電気的に接続される。線状金属部材６Ｂは、例えばモリブデンから成り、軸線ＡＸに沿って直線状に延在する。線状金属部材６Ｂの他端側は、金属箔６Ａの一端側に溶接されている。これにより、金属箔６Ａの一端側は、線状金属部材６Ｂと電気的に接続される。線状金属部材６Ｂの径は、内部電極３の径よりも小さい。また、金属箔６Ａの箔としての厚さは、内部電極３の径及び線状金属部材６Ｂの径よりも小さい。線状金属部材６Ｂの一端側は、筐体部２の外部に導出されている。線状金属部材６Ｂの一端側は、例えばニッケルから成る接続部材１３（電気的接続部）を介して、導線（外部給電部材）１４に電気的に接続されている。導線１４は、軸線ＡＸに沿って延在する。
【００２６】
図２、図３（ａ）及び図３（ｂ）に示されるように、本実施形態において、内部電極３の一端側は、給電部材６とともに筐体部２の一端側にピンチシール部１０を介して封着されている。ピンチシール部１０は、内部電極３の一端側を給電部材６とともに筐体部２の一端側にピンチシールで封着する封着部である。ピンチシールとは、加熱しながら外部から力を加えて封止する手法である。ピンチシール部１０は、筐体部２の一端側において扁平形状を呈する部分である。ピンチシール部１０には、内部電極３の一端側と金属箔６Ａと線状金属部材６Ｂの他端側とが埋設されている。ピンチシール部１０は、内部電極３を片持ち構造で保持する。
【００２７】
内部電極３の他端側は、内部空間Ｒ内に突出する。図３（ａ）及び図３（ｂ）に示されるように、軸線ＡＸに沿った方向において、内部空間Ｒ内における内部電極３の長さであって内部空間Ｒの一端から内部電極３の他端までの長さである突出長さＸ（以下、単に「突出長さＸ」ともいう）は、内部電極３の他端から内部空間Ｒの他端までの長さ以下である。具体的には、軸線ＡＸに沿った方向において、突出長さＸは、内部空間Ｒの長さの１／５以上である。例えば、軸線ＡＸに沿った方向において、内部空間Ｒの長さが約８０ｍｍである場合、突出長さＸは、１５ｍｍであってもよい。内部電極３の径は、筐体部２の内径（内部空間Ｒの径）の１／５以上且つ１／２以下である。
【００２８】
図１及び図２に示されるように、エキシマランプ１００は、ソケット２０を備える。ソケット２０は、絶縁性材料から成り、例えばアルミナから成る。ソケット２０は、筐体部２の一端側を包囲する円筒状を呈する。外部電極５及び給電部材６は、ソケット２０内でそれぞれ導線１２，１４と電気的に接続される。ソケット２０の他端側は、絶縁性樹脂（例えばアルミナ系無機接着剤）２１により、筐体部２におけるピンチシール部１０の他端側及びそれ近接する部分の外面に固定されている。なお、ソケット２０の形状は円筒状に限られず、筒状であればよい。図２では、ソケット２０及び絶縁性樹脂２１を断面化して示している。
【００２９】
給電部材６と導線１４との電気的接続部である接続部材１３と、外部電極５と導線１２との電気的接続部であるハンダ１１と、は、軸線ＡＸに沿った方向において離間している。ハンダ１１は、ソケット２０内においての他端側の開口側の部分（端部）である他端側開口部２０Ｘに配置されている。外部電極５の一端側は、ソケット２０内まで延在し、ソケット２０内の他端側開口部２０Ｘにおいてハンダ１１によって固定されている。ハンダ１１は、固定部材を構成する。
【００３０】
以上に説明したエキシマランプ１００では、例えば、内部電極３及び外部電極５に交流の高電圧を印加すると、内部空間Ｒにおいて誘電体バリア放電による放電プラズマが多数発生する。放電プラズマにより放電ガス４の原子が励起され、瞬間的にエキシマ状態となる。当該エキシマ状態から元の状態（基底状態）に戻るときに発光（エキシマ発光）し、その結果、エキシマ光（ここでは、真空紫外光）が放出される。
【００３１】
ここで、軸線ＡＸに沿った方向において、突出長さＸを内部電極３の他端から内部空間Ｒの他端までの長さＹ以下まで短くすると、筐体部２内において発光強度の高い発光領域を十分に広げることができ、光出力を十分に得ることができるという知見が得られる。よって、このような短い突出長さＸの内部電極３を備えるエキシマランプ１００では、十分な光出力を得ることが可能となる。一方、突出長さＸが短いと、内部電極３において特に高温になる先端部からピンチシール部１０が近くなり、ピンチシール部１０が高温化しやすく、破損しやすくなるおそれがある。この点、エキシマランプ１００では、内部電極３の一端側を、内部電極３に電気的に接続される金属箔６Ａを備える給電部材６と電気的に接続している。そして、内部電極３の一端側を当該給電部材６とともに筐体部２の一端側にピンチシール部１０を介して封着している。このように封着することにより、熱に強い特性を有することができ、ピンチシール部１０は高温化した場合でも破損し難い。
【００３２】
すなわち、本実施形態では、管状の筐体部２の内部に片持ち構造の内部電極３を備えたエキシマランプ１００において、内部電極３の一端側をピンチシール部１０で封着固定するとともに、軸線ＡＸに沿った方向において内部電極３の突出長さＸを内部空間Ｒの半分以下としている。このようなエキシマランプ１００によれば、十分な光出力を安定的に得ることが可能となる。
【００３３】
エキシマランプ１００では、軸線ＡＸに沿った方向において、突出長さＸは、内部空間Ｒの長さの１／５以上である。突出長さＸを内部空間Ｒの長さの１／５よりも小さくした場合、光出力は変化し難い一方で、突出長さＸが短くなりすぎるためにピンチシール部１０が非常に高温となり、ピンチシール部１０がより破損しやすいことが見出される。よって、突出長さＸが内部空間Ｒの長さの１／５以上の場合、十分な光出力を一層安定的に得ることが可能となる。
【００３４】
エキシマランプ１００では、内部電極３の径は、筐体部２の内径の１／５以上且つ１／２以下である。内部電極３が一端側で保持された片持ち構造であっても、内部電極３の径が筐体部２の内径の１／５以上であることで、内部電極３が熱変形して垂れることを抑制することができる。加えて、内部電極３の径が筐体部２の内径の１／２以下であることで、内部電極３の一端側での保持が難しくなることを抑制することができ、例えば内部電極３の熱膨張の影響（例えばピンチシール部１０の破損等）を抑制することができる。また例えば、内部電極３があまり太くなると、保持される一端側の部分においてアスペクト比が悪くなり、内部電極３が振動したとき等にピンチシール部１０が割れやすくなったり、内部電極３が抜けやすくなったりするおそれがあるが、内部電極３の径が筐体部２の内径の１／２以下であることから、そのおそれを抑制することができる。したがって、安定した放電状態を得ることが可能となる。内部電極３において保持される一端側の長さ（筐体部２に埋入される長さ）を長くする必要がなくなり、エキシマランプ１００の小型化を実現可能となる。
【００３５】
エキシマランプ１００では、給電部材６は、内部電極３に電気的に接続される金属箔６Ａに加え、金属箔６Ａに電気的に接続され筐体部２の外部に導出される線状金属部材６Ｂを含む。線状金属部材６Ｂの径は、内部電極３の径よりも小さい。この場合、製造時及び使用時に応力のかかりやすい線状金属部材６Ｂを変形しやすい構成とし、ピンチシール部１０の破損（クラック等）を抑制することができる。つまり、例えば線状金属部材６Ｂに多少無理な力がかかっても、線状金属部材６Ｂが曲がるだけで、ピンチシール部１０にクラックが発生する可能性が低くなる。
【００３６】
エキシマランプ１００は、筐体部２の外面に当接する外部電極５を備えている。エキシマランプ１００では、外部電極５は、筐体部２の外面を包囲するように設けられ、メッシュ状を呈している。この場合、筐体部２内の広い発光領域から効率よくエキシマ光を取り出すことが可能となる。
【００３７】
エキシマランプ１００は、ソケット２０を備え、給電部材６及び外部電極５は、ソケット２０内でそれぞれ導線１４，１２と電気的に接続されている。これにより、電気的に安定した状態で給電部材６及び外部電極５のそれぞれと導線１４，１２とを接続することができる。
【００３８】
エキシマランプ１００では、接続部材１３とハンダ１１とは、軸線ＡＸに沿った方向において離間している。これにより、エキシマランプ１００では、ソケット２０内の耐電圧特性を良好にすることが可能となる。
【００３９】
エキシマランプ１００では、安全のために外部電極５を低電位側（例えば接地電位）としている。また、外部電極５との電気的接続部であるハンダ１１をソケット２０内の他端側開口部２０Ｘに配置し、相対的に、高電位側の内部電極３及びその給電部材６との電気的接続部である接続部材１３を、軸線ＡＸに沿った方向においてソケット２０内の中央寄りに配置している。よって、エキシマランプ１００では、ソケット２０内の耐電圧特性を良好にすることが可能となる。
【００４０】
エキシマランプ１００では、外部電極５の一端側は、ソケット２０内まで延在し、ソケット２０内の他端側開口部２０Ｘにおいてハンダ１１によって固定されている。これにより、外部電極５を確実に固定することができ、安定的な放電が実現可能となる。
【００４１】
エキシマランプ１００は、封着部として、内部電極３の一端側を給電部材６とともに筐体部２の一端側にピンチシールで封着するピンチシール部１０を備える。この場合、封着部を熱に強いピンチシール部１０で構成することが可能となる。
【００４２】
下表１は、内部電極３の突出長さＸを変化させた場合のエキシマランプの光出力の測定結果を示す表である。ここでの測定では、内部電極３の突出長さＸを、１０ｍｍ、１５ｍｍ、３０ｍｍ、４５ｍｍ、６０ｍｍ、７５ｍｍと変化させたときの光出力を光量計により測定した。なお、測定の各種の条件としては、一般的な測定試験の条件に準拠している。軸線ＡＸに沿う方向において、筐体部２における一端側から他端側までの光出射領域を５つに分け、一端側から他端側の順に、根本部、後部、中央後部、中央前部及び前部とした。総和は、これら５つの光出射領域の光出力の合計値である。内部空間Ｒの全長は、約８０ｍｍとした。
【００４３】
下表１によれば、内部空間Ｒの全長に対して内部電極３の突出長さＸが長いうちは、突出長さＸが短くなることで、入力電流の増加割合以上の光出力の増加が見られるが、光出力の総和は不十分であることがわかる。そして、内部電極３の突出長さＸが短くなるに連れて、一旦、光出力の増加率は鈍るが、内部空間Ｒの全長に対して突出長さＸが約１／２の場合から、光出力の当該増加が再び大きくなり、光出力の総和も十分になることがわかる。突出長さＸが内部空間Ｒの１／２以下である本実施形態では、十分な光出力を得ることが可能となることがわかる。突出長さＸが内部空間Ｒの長さの１／５よりも小さい１０ｍｍの場合には、突出長さＸが１５ｍｍのときと光出力が略変わらないことがわかる。
【００４４】
【表１】
2022003622.tif 000003
【００４５】
以上、実施形態について説明したが、本発明の一態様は上記実施形態に限定されない。
【００４６】
図４（ａ）及び図４（ｂ）は、変形例に係るエキシマランプ２００を示す図である。図４（ａ）及び図４（ｂ）に示されるように、本発明の一態様は、エキシマランプ２００であってもよい。エキシマランプ２００は、外部電極５（図１参照）に代えてランプ収容部２１０を備える点で、上記実施形態と主に異なる。
【００４７】
ランプ収容部２１０は、金属材料から成り、直方体状の外形を呈する部材である。ランプ収容部２１０の外面には、導線１２の他端側がネジＮで固定されている。これにより、ランプ収容部２１０は導線１２と電気的に接続されている。ランプ収容部２１０は、挿通孔２１１と、当該挿通孔２１１に設けられた光出射開口２１２と、を含む。
【００４８】
挿通孔２１１は、軸線ＡＸに沿って延びる断面円形の貫通孔である。挿通孔２１１は、筐体部２の外径に対応する内径を有する。ここでの挿通孔２１１は、筐体部２の外形と略等しい内径を有するため、挿通孔２１１の内面の少なくとも一部は、筐体部２の外面と当接する。また、挿通孔２１１の内面はエキシマ光に対する反射面になっている。挿通孔２１１には、筐体部２、給電部材６、接続部材１３及び導線１４の他端側が収容されている。光出射開口２１２は、挿通孔２１１に連通し、軸線ＡＸと直交する方向に開口する。光出射開口２１２は、軸線ＡＸに沿う方向において、挿通孔２１１に収容された筐体部２における放電領域のうち、内部電極３の配置領域と他端部先端領域とを除く領域、より詳細には中央部一端寄りの位置から他端の手前までの領域を露出させる。このような変形例に係るエキシマランプ２００では、ランプ収容部２１０を外部電極として用い、十分な光出力を安定的に得ることができる。また、発生させたエキシマ光を光出射開口２１２側に反射させ、光出射開口２１２から大きな光量のエキシマ光を得ることができる。
【００４９】
上記実施形態及び上記変形例では、筐体部２及び外部電極５を円管状としたが、筐体部２及び外部電極５の形状は円管状に限定されず、管状であればよい。内部電極３の径とは、内部電極３の外形の横断面形状が内接する円の径であってもよい。筐体部２の内径とは、内部空間Ｒの横断面形状が内接する円の径であってもよい。筐体部２の外径とは、内部電極３の外形の横断面形状が内接する円の径であってもよい。線状金属部材６Ｂの径とは、線状金属部材６Ｂの外形の横断面形状が内接する円の径であってもよい。
【００５０】
上記実施形態及び上記変形例では、内部電極３の径とは、最大径であってもよいし、最小径であってもよいし、平均径であってもよいし、その主要部分の径であってもよい。筐体部２の内径（内部空間Ｒの径）とは、最大径であってもよいし、最小径であってもよいし、平均径であってもよいし、その主要部分の径であってもよい。筐体部２の外径とは、最大径であってもよいし、最小径であってもよいし、平均径であってもよいし、その主要部分の径であってもよい。線状金属部材６Ｂの径とは、最大径であってもよいし、最小径であってもよいし、平均径であってもよいし、その主要部分の径であってもよい。挿通孔２１１の内径とは、最大径であってもよいし、最小径であってもよいし、平均径であってもよいし、その主要部分の径であってもよい。
【００５１】
上記実施形態及び上記変形例における各構成には、上述した材料及び形状に限定されず、様々な材料及び形状を適用することができる。上記実施形態又は変形例における各構成は、他の実施形態又は変形例における各構成に任意に適用することができる。上記実施形態又は変形例における各構成の一部は、本発明の一態様の要旨を逸脱しない範囲で適宜に省略可能である。
【符号の説明】
【００５２】
２…筐体部、３…内部電極、４…放電ガス、５…外部電極、６…給電部材、６Ａ…金属箔、６Ｂ…線状金属部材、１０…ピンチシール部（封着部）、１１…ハンダ（電気的接続部，固定部材）、１２…導線（外部給電部材）、１３…接続部材（電気的接続部）、１４…導線（外部給電部材）、２０…ソケット、２０Ｘ…他端側開口部、１００，２００…エキシマランプ、２１０…ランプ収容部、２１１…挿通孔、２１２…光出射開口、ＡＸ…軸線、Ｒ…内部空間、Ｘ…突出長さ。
【図１】
2022003622.tif 000004
【図２】
2022003622.tif 000005
【図３】
2022003622.tif 000006
【図４】
2022003622.tif 000007